(57)【要約】      （修正有）【課題】海中障害物として周知の機雷の如く、緊急に対処することが困難であり、また、軍事ロボット等によって除去されたり無力化されたりする虞の少ない海中障害物を提供する。【解決手段】沿岸海域Ｓを進行する目標船舶ＴＳに対して海中障害物Ｂを展開するに際し、開放可能な包体に吸水性ポリマーを充填して成る原料弾１を用い、多数の原料弾１を目標領域ＴＡに散布し、原料弾１の包体を開放して吸水性ポリマーを海中に放出し、吸水反応で膨張したポリマーの集合体により海中障害物Ｂを形成する展開方法とした。これにより、緊急に海中障害物Ｂを展開すると共に、容易に除去をすることが不可能な進行阻止機能に優れた海中障害物Ｂを得る。【選択図】図１
2013029246.tif 000002
【特許請求の範囲】
【請求項１】
沿岸海域を進行する目標船舶に対して海中障害物を展開するに際し、
開放可能な包体に吸水性ポリマーを充填して成る原料弾を用い、
多数の原料弾を目標領域に散布し、原料弾の包体を開放して吸水性ポリマーを海中に放出し、
吸水反応で膨張したポリマーの集合体により海中障害物を形成することを特徴とする海中障害物の展開方法。
【請求項２】
多数の原料弾を搭載した飛翔体を用い、
飛翔体を目標領域に向けて発射して、同飛翔体から目標領域に原料弾を散布することを特徴とする請求項１に記載の海中障害物の展開方法。
【請求項３】
沿岸海域を進行する目標船舶に対して海中障害物を展開する装置であって、
開放可能な包体に吸水性ポリマーを充填して成る原料弾と、多数の原料弾を散布可能に搭載した飛翔体を備えたことを特徴とする海中障害物の展開装置。
【発明の詳細な説明】
【技術分野】
【０００１】
本発明は、例えば上陸用舟艇のように沿岸海域を進行する目標船舶に対して、海中障害物を展開するのに用いられる海中障害物の展開方法及び展開装置に関するものである。
【背景技術】
【０００２】
従来において、目標船舶に対する海中障害物としては、特許文献１に記載されているような機雷が周知である。特許文献１には、浮力体部を備えた頭部体と、係維装置部を備えた尾部体とを分離自在に結合すると共に、頭部体及び尾部体の夫々に爆薬及び発火装置を備えた構成とし、沈底式及び係維式のどちらの形態にも自由に対応できる機雷の敷設方法が記載されている。
【先行技術文献】
【特許文献】
【０００３】
【特許文献１】特開昭１１−１１８３９８号公報
【発明の概要】
【発明が解決しようとする課題】
【０００４】
しかしながら、上記したような機雷は、事前に海中に配置しておくものであるから、目標船舶の発見が遅れた場合や、目標船舶が予想外の方向から進行してきた場合に、緊急に対処することは困難である。また、沿岸海域のような浅い海中に配置した機雷は、発見されやすく、軍事ロボット（ＵＳＶ）等によって除去されたり無力化されたりする虞があるという問題点があり、このような問題点を解決することが課題であった。
【０００５】
本発明は、上記従来の課題に着目して成されたものであって、沿岸海域を進行する目標船舶に対して、緊急に海中障害物を展開することができると共に、容易に除去をすることが不可能な進行阻止機能に優れた海中障害物を得ることができる海中障害物の展開方法及び展開装置を提供することを目的としている。
【課題を解決するための手段】
【０００６】
本発明の海中障害物の展開方法は、沿岸海域を進行する目標船舶に対して海中障害物を展開するに際し、開放可能な包体に吸水性ポリマーを充填して成る原料弾を用い、多数の原料弾を目標領域に散布し、原料弾の包体を開放して吸水性ポリマーを海中に放出し、吸水反応で膨張したポリマーの集合体により海中障害物を形成する構成としており、上記構成をもって従来の課題を解決するための手段としている。
【０００７】
また、本発明の海中障害物の展開方法は、より好ましい実施形態として、多数の原料弾を搭載した飛翔体を用い、飛翔体を目標領域に向けて発射して、同飛翔体から目標領域に原料弾を散布することを特徴としている。
【０００８】
さらに、本発明の海中障害物の展開装置は、沿岸海域を進行する目標船舶に対して海中障害物を展開する装置であって、開放可能な包体に吸水性ポリマーを充填して成る原料弾と、多数の原料弾を散布可能に搭載した飛翔体を備えたことを特徴としている。
【発明の効果】
【０００９】
本発明の海中障害物の展開方法及び展開装置によれば、沿岸海域を進行する目標船舶に対して、緊急に海中障害物を展開することができると共に、容易に除去をすることが不可能な進行阻止機能に優れた海中障害物を得ることができる。
【図面の簡単な説明】
【００１０】
【図１】本発明の海中障害物の展開方法及び展開装置の一実施形態を示す俯瞰説明図（Ａ）及び断面説明図（Ｂ）である。
【図２】図１中の原料弾を一部破断して示す斜視説明図である。
【図３】図１中の飛翔体を示す断面説明図である。
【発明を実施するための形態】
【００１１】
以下、図面に基づいて、本発明の海中障害物の展開方法及び展開装置の一実施形態を説明する。
海中障害物の展開装置は、図１に示すように、沿岸海域Ｓを進行する目標船舶ＴＳに対して海中障害物Ｂを展開する装置である。目標船舶ＴＳは、例えば上陸用舟艇であって、図１においては、船団を組んで沿岸海域Ｓから陸地Ｌへ侵攻する状態を示している。
【００１２】
展開装置は、原料弾１と飛翔体１０を備えている。原料弾１は、図２に示すように、開放可能な包体２に吸水性ポリマー３を充填して成るものである。包体２は、図示例の場合は、扁平な略半球状に成形した樹脂シート２Ａ，２Ａを、綴じ代２Ｂにより開放可能に綴じたもので、着水の衝撃などの外力により綴じ代２Ｂの部分で開裂する。また、包体２は、その材料がとくに限定されるものではなく、例えば、通水性を有して吸水性ポリマー３の膨張圧力により開裂するようなものや、短時間で海水に溶けるようなものでも良い。
【００１３】
吸水性ポリマー３は、吸水性を高めるために、粉末を含む粒状である。この吸水性ポリマー３に使用する材料としては、でんぷん系及びセルロース系などの天然高分子や、ポリアクリル酸及びポリアクリル酸塩系、ポリビニルアルコール系、ポリアクリルアミド系、ポリオキシエチレン系などの合成高分子が挙げられる。これらの中では、ポリアクリル酸塩系やポリアクリルアミド系の高分子がより好適である。また、吸水性ポリマー３の膨張異方性は１に近いものを選定し、海中における浅瀬の広域に展開するものとする。
【００１４】
飛翔体１０は、図３に示すように、開頭式のノーズコーン１０Ａと推進源であるロケットモータ１０Ｂを備えており、ノーズコーン１０Ａの内部に多数の原料弾１が搭載してある。飛翔体１０は、図１に示す発射装置２０から発射され、ノーズコーン１０Ａを開いて原料弾１を散布する。なお、飛翔体１０としては、推進源を持たずに弾道飛翔するものでも良い。
【００１５】
次に、上記の展開装置の動作と共に、海中障害物の展開方法を説明する。
沿岸海域Ｓを進行する目標船舶ＴＳに対して海中障害物Ｂを展開するに際し、上記の原料弾１及び飛翔体１０を備えた展開装置を用いて、多数の原料弾１を目標領域ＴＡに散布する。このとき、沿岸海域Ｓにおける目標領域ＴＡとは、図示の如く目標船舶ＴＳを含む領域、あるいは目標船舶ＴＳの進行方向の前方領域である。
【００１６】
すなわち、当該展開方法では、図１（Ａ）に示すように、遠隔地に配置した発射装置２０から飛翔体１０を発射する。飛翔体１０は、目標領域ＴＡの上空に到達したところで、ノーズコーン１０Ａを開いて多数の原料弾１を散布する。各原料弾１は、着水により包体２を開放し、内部に充填してあった吸水性ポリマー３を海中に放出する。これにより、図１（Ｂ）に示すように、吸水反応で膨張・硬化したポリマーの集合体により海中障害物Ｂを形成し、目標船舶ＴＳの進行を妨害し又は阻止する。
【００１７】
このように、上記実施形態の海中障害物の展開方法及び展開装置によれば、沿岸海域Ｓを進行する目標船舶ＴＳに対して、緊急に海中障害物Ｂを展開することができる。また、吸水反応により膨張・硬化したポリマーの集合体による海中障害物Ｂは、広域に及ぶうえに大重量であるから、軍事用ロボット等を使用しても容易に除去をすることは不可能であり、目標船舶ＴＳの進行阻止機能に優れたものとなる。
【００１８】
さらに、上記の海中障害物の展開方法及び展開装置は、飛翔体１０を用いて原料弾１を散布することから、遠隔地からの発射が可能であって、広範囲をカバーすることができ、目標船舶ＴＳの発見が遅れた場合や、目標船舶ＴＳが予想外の方向から進行してきた場合であっても、即応的に使用することができ、また、相手側にとっては迅速な対応が難しいという利点もある。
【００１９】
なお、本発明の海中障害物の展開方法及び展開装置は、その構成が上記実施形態に限定されるものではなく、本発明の要旨を逸脱しない範囲で構成の細部を適宜変更することができる。また、上記の実施形態では、飛翔体として、ロケットモータを備えたものを例示したが、原料弾を散布できるものであれば良く、有人や無人の航空機を使用することも可能である。
【符号の説明】
【００２０】
Ｂ    海中障害物
Ｓ    沿岸海域
ＴＡ  目標領域
ＴＳ  目標船舶
１    原料弾
２    包体
３    吸水性ポリマー
１０  飛翔体
【図１】
2013029246.tif 000003
【図２】
2013029246.tif 000004
【図３】
2013029246.tif 000005